(57)【要約】【課題】  本願発明は、簡単に組み立てることができると共に、十分な強度があり、自由に組み合わせ可能な六面体からなる愛玩動物用遊戯具を提供することにある。【解決手段】  本願発明は、六面体２（２Ａ，２Ｂ）を構成する３つの連続する側面を形成するための屈曲自在に連設される３つのプレート４Ａ，４Ｂ，４Ｃからなる六面体側面形成部４Ｄを有する開口部３の位置が異なる六面体構成部品４，５を、同一若しくは異なる２つ組み合わせることで、１つの六面体２Ａ，２Ｂを形成し、これらを任意に組み合わせることで愛玩動物用遊戯具１を自由に組み立てることができるものである。【選択図】  図１
2014226103.tif 000002
【特許請求の範囲】
【請求項１】
六面体を構成するいずれか２つの側面に開口する開口部を有する組み立て可能な六面体を任意に組み合わせて構成される愛玩動物用遊戯具において、
前記六面体は、連続する３つの側面から構成されると共に、外側面と内側面を有する一対の六面体構成部品からなること、
該一対の六面体構成部品のそれぞれは、六面体の連続する３つの側面を形成する第１の端部プレート、中央プレート及び第２の端部プレートが連設されて形成される六面体側面形成部と、該六面体側面形成部の長手方向両端部に形成される第１及び第２の接続部とによって構成され、前記第１の接続部、前記第１の端部プレート、中央プレート、第２の端部プレート及び第２の接続部は、折り曲げ可能な接続辺によって接続され、第１の端部プレート、中央プレート及び第２の端部プレートは、前記接続辺に垂直に位置する一対の開放辺を具備すること、
前記第１及び第２の接続部の外側面には、連結手段の一方の側を構成する第１の連結部が形成され、前記中央プレートの内側面の前記開放辺近傍には、前記第１の連結部に対応する連結手段の他方の側を構成する第２の連結部が形成されること、
前記第１の端部プレート、中央プレート及び第２の端部プレートのいずれか１つには前記開口部が形成され、該開口部が形成される前記第１の端部プレート、中央プレート及び第２の端部プレートのいずれかの外側面の前記開口部の周辺には前記第１の連結部と前記第２の連結部が対応して配置されること、且つ
前記第１の端部プレート及び前記第２の端部プレートの開放辺のそれぞれには、中心位置から所定値変位した位置から外方に延出する係止片が形成され、該係止片の外側面には第１の連結部が設けられ、前記第１の端部プレート及び前記第２の端部プレートの内側面の開放辺近傍には、前記第１の連結部に対応する位置に第２の連結部が設けられることを特徴とする愛玩動物用遊戯具。
【請求項２】
前記開口部の周辺に配置される第１の連結部と第２の連結部は、４５°間隔で配置された一対の第１の連結部と、４５°間隔で配置された一対の第２の連結部とが、９０°毎に交互に配置されたことを特徴とする請求項１記載の愛玩動物用遊戯具。
【請求項３】
前記一対の六面体構成部品は、中央プレートに開口部を有する同一形状であることを特徴とする請求項１又は２記載の愛玩動物用遊戯具。
【請求項４】
前記一対の六面体構成部品は、前記中央プレートに開口部を有する第１の六面体構成部品と、前記第１の端部プレート若しくは第２の端部プレートに開口部を有する第２の六面体構成部品とによって構成されることを特徴とする請求項１又は２記載の愛玩動物用遊戯具。
【請求項５】
前記連結手段は、面ファスナーであって、第１の連結部は、面ファスナーのフック部であり、第２の連結部は、面ファスナーのループ部であることを特徴とする請求項１〜４のいずれか１つに記載の愛玩動物用遊戯具。
【請求項６】
前記中央プレート、前記第１の端部プレート及び前記第２の端部プレートのそれぞれの４つの角は、所定の範囲で切除されて切り欠き部が形成されることを特徴とする請求項１〜５のいずれか１つに記載の愛玩動物用遊戯具。
【請求項７】
前記中央プレート、前記第１の端部プレート及び前記第２の端部プレートの開口部が形成されていないいずれかには、その中央部に前記開口部よりも小さい窓部が形成されることを特徴とする請求項１〜６のいずれか１つに記載の愛玩動物用遊戯具。
【発明の詳細な説明】
【技術分野】
【０００１】
この発明は、少なくとも２つの出入口を有する六面体（特に、立方体）形状の箱体を組み立てて猫、小型犬等のための箱体通路を形成するための愛玩動物用遊戯具に関する。
【背景技術】
【０００２】
特許文献１（実用新案登録第３０６９８９９号公報）は、愛玩動物のストレスを解消するための愛玩動物用遊戯器であって、紙、段ボール或いはプラスチック等のシートを素材とし、該シートで正方形箱状や長方形箱状等の矩形中空箱体Ｘ，Ｙを組み立て可能に形成し、該箱体の一面又は複数面に、それぞれ通行穴を形成し、該通行穴の周囲に、他の矩形中空箱体を連結する連結部を複数設け、他の箱体の一又は複数個と水平方向及び垂直方向に連結する愛玩動物用遊戯器を提供する。
【先行技術文献】
【特許文献】
【０００３】
【特許文献１】実用新案登録第３０６９８９９号公報
【発明の開示】
【発明が解決しようとする課題】
【０００４】
上述した特許文献１に開示された愛玩動物用遊戯器は、紙、段ボールあるいはプラスチック等からなるシートを組み立てて形成されることから、一つの形に限定されるという不具合があり、また立方体及び直方体形状であることから角がとがっているので、安全性が懸念される。また、折り返し部に形成された切れ込みに対向する辺に形成された突出部を差し込みことによって組み立てることから、猫、子犬等の愛玩動物によって与えられる負荷に対して十分な強度を有するとはいえない。
【０００５】
このため、本願発明は、簡単に組み立てることができると共に、十分な強度があり、自由に組み合わせ可能な六面体からなる愛玩動物用遊戯具を提供することにある。
【課題を解決するための手段】
【０００６】
本願発明は、六面体を構成するいずれか２つの側面に開口する開口部を有する組み立て可能な六面体を任意に組み合わせて構成される愛玩動物用遊戯具において、前記六面体は、連続する３つの側面から構成されると共に、外側面と内側面を有する一対の六面体構成部品からなること、該一対の六面体構成部品のそれぞれは、六面体の連続する３つの側面を形成する第１の端部プレート、中央プレート及び第２の端部プレートが連設されて形成される六面体側面形成部と、該六面体側面形成部の長手方向両端部に形成される第１及び第２の接続部とによって構成され、前記第１の接続部、前記第１の端部プレート、中央プレート、第２の端部プレート及び第２の接続部は、折り曲げ可能な接続辺によって接続され、第１の端部プレート、中央プレート及び第２の端部プレートは、前記接続辺に垂直に位置する一対の開放辺を具備すること、前記第１及び第２の接続部の外側面には、連結手段の一方の側を構成する第１の連結部が形成され、前記中央プレートの内側面の前記開放辺近傍には、前記第１の連結部に対応する連結手段の他方の側を構成する第２の連結部が形成されること、前記第１の端部プレート、中央プレート及び第２の端部プレートのいずれか１つには前記開口部が形成され、該開口部が形成される前記第１の端部プレート、中央プレート及び第２の端部プレートのいずれかの外側面の前記開口部の周辺には前記第１の連結部と前記第２の連結部が対応して配置されること、且つ、前記第１の端部プレート及び前記第２の端部プレートの開放辺のそれぞれには、中心位置から所定値変位した位置から外方に延出する係止片が形成され、該係止片の外側面には第１の連結部が設けられ、前記第１の端部プレート及び前記第２の端部プレートの内側面の開放辺近傍には、前記第１の連結部に対応する位置に第２の連結部が設けられることにある。
【０００７】
これによって、一方の六面体構成部品の第１及び第２の接続部の外側面の第１の連結部を、他方の六面体構成部品の中央プレートの内側面の開放辺近傍に設けられた第２の連結部に連結させると共に、他方の六面体構成部品の第１及び第２の接続部の外側面の第１の連結部を、一方の六面体構成部品の中央プレートの内側面の開放辺近傍に設けられた第２の連結部に連結させ、さらに一方及び他方の六面体構成部品の第１及び第２の端部プレートの開放辺に形成された係止片の外側面に設けられた第１の連結部を、他方及び一方の六面体構成部品の六面体構成部品の第１の及び第２の端部プレートの内側面の対応する開放辺近傍に設けられた第２の連結部に連結させることによって、六面体（特に、立方体）を形成することができるものである。さらに、１つの六面体の開口部と、同様に組み立てた別の六面体の開口部とを対向させることによってそれぞれの開口部の周囲形成された第１の連結部と第２の連結部が対面するため、開口部を合わせて接合することができるものである。このように、所望の数の六面体を結合させることができるものである。さらに、前記六面体は立方体であることが望ましい。
【０００８】
また、前記開口部の周辺に配置される第１の連結部と第２の連結部は、４５°間隔で配置された一対の第１の連結部と、４５°間隔で配置された一対の第２の連結部とが、９０°毎に交互に配置されることが望ましい。これによって、一対の第１の連結部と一対の第２の連結部が交互に配されるため、六面体の開口面を対向させて連結した場合、常に４箇所で連結されるため、確実な連結が可能となるものである。
【０００９】
また、前記一対の六面体構成部品は、中央プレートに開口部を有する同一形状であることが望ましい。これによって、対向する面に開口部を形成できるため、まっすぐに貫通する通路を有する六面体を形成することが可能となるものである。
【００１０】
さらに、前記一対の六面体構成部品は、前記中央プレートに開口部を有する第１の六面体構成部品と、前記第１の端部プレート若しくは第２の端部プレートに開口部を有する第２の六面体構成部品とによって構成されることが望ましい。これによって、１つの面に開口した開口部と、それに隣り合う面の１つに開口する開口部を有する六面体を形成できるため、曲がった通路を有する六面体を形成することが可能となるものである。
【００１１】
また、上述したまっすぐに貫通する通路を有する六面体と、上述した曲がった通路を有する六面体を組み合わせることによって複雑な通路を有する愛玩動物用遊戯具を形成することが可能となるものである。
【００１２】
さらにまた、前記連結手段は、面ファスナーであって、第１の連結部は、面ファスナーのフック部であり、第２の連結部は、面ファスナーのループ部であることが望ましい。また、前記連結手段は、マグネットホック（マグホック若しくはマグネットボタン）であって、第１の連結部は、一方の極性（例えばＮ極）を有する凸部であり、第２の連結部は、他方の極性（例えばＳ極）を有する凹部であっても良く、さらには、前記連結手段は、マグネットシートであって、第１の連結部は、一方の極性を有するシートであり、第２の連結部は、他方の極性有するシートであっても良いものである。また、第１の連結部と第２の連結部の構成は逆であっても良いものである。
【００１３】
これによって、第１の連結部と第２の連結部の結合を簡単に着脱することが可能となるものである。
【００１４】
さらに、前記中央プレート、前記第１の端部プレート及び前記第２の端部プレートのそれぞれの４つの角は、所定の範囲で切除されて切り欠き部が形成されることが望ましい。これによって、六面体の全ての角部に切り欠き部を形成できるため、安全性を向上させることができるものである。また、この切り欠き部から内部を確認できるという効果がある。
【００１５】
さらにまた、前記中央プレート、前記第１の端部プレート及び前記第２の端部プレートの開口部が形成されていないいずれかには、その中央部に前記開口部よりも小さい窓部が形成されることが望ましい。これによって、上述した切欠き部と同様に内部を確認できるものである。
【発明の効果】
【００１６】
本願発明によれば、２つの独立した六面体構成部品を組み立てて一つの六面体を形成するとともに、複数の六面体の開口部を対面させるようにして通路が連続する愛玩動物用遊戯具を簡単に組み立てることができ、さらに六面体構成部品の開放辺同士が接触する部分を開放辺に形成された噛合片によって固定できるので、六面体の強度を向上させることができるものである。
【００１７】
さらに、前記開口部の周囲に形成された第１の連結部及び第２の連結部を交互に配置したことによって、１つの六面体に対して他の六面体を傾斜して接続することも可能となるため、愛玩動物用遊戯具の組み合わせにさらに汎用性を持たせることが可能となるものである。
【図面の簡単な説明】
【００１８】
【図１】本願発明に係る愛玩動物用遊戯具の一例を示した説明図である。
【図２】本願発明に係る愛玩動物用遊戯具の六面体の一例を示した斜視図である。
【図３】本願発明に係る愛玩動物用遊戯具の六面体の別の例を示した斜視図である。
【図４】本願発明に係る愛玩動物用遊戯具の六多面体を構成するための六面体構成部品の１つを示した説明図であり、（ａ）はその外側面、（ｂ）はその内側面を示した平面図である。
【図５】本願発明に係る愛玩動物用遊戯具の六多面体を構成するための六面体構成部品の別の例を示した説明図であり、（ａ）はその外側面、（ｂ）はその内側面を示した平面図である。
【図６】図４で示す六面体構成部品を２つ用いて六面体を形成する状態を示した説明図である。
【図７】図４で示す六面体構成部品と、図５で示す六面体構成部品とによって六面体を形成する状態を示した説明図である。
【図８】（ａ）は、図２及び図６で示す六面体と、図３及び図７で示す六面体とを接続する状態を示した説明図であり、（ｂ）は、図３及び図７で示す六面体を２つ接続する状態を示した説明図である。
【図９】（ａ）は一対の六面体の第１の連結部と第２の連結部の配置を示した説明図であり、（ｂ）は、一方の六面体を９０°回転させた状態を示した説明図である。
【発明を実施するための形態】
【００１９】
以下、この発明の実施例について図面により説明する。
【実施例】
【００２０】
本願発明に係る愛玩動物用遊戯具１は、例えば図１に示すように、複数の六面体（立方体）２を任意に接続して形成されるもので、猫、子犬等の愛玩動物が、１つの六面体２に形成された開口部３から六面体２内に入り、それに接続された六面体２内を移動して遊ぶことができるものである。
【００２１】
前記六面体２には、図２で示すような開口部３が対向して配置されるまっすぐな通路を形成する第１の六面体２Ａと、図３で示すような開口部３が隣り合う側面に配置されて曲がった通路を形成する第２の六面体２Ｂとがある。これら第１の六面体２Ａ及び第２の六面体２Ｂを任意に選択していろいろな通路が形成された愛玩動物用遊戯具１を得ることができるものである。
【００２２】
前記第１の六面体２Ａ若しくは第２の六面体２Ｂは、図４で示される第１の六面体構成部品４と、図５で示される第２の六面体構成部品５とをそれぞれ組み合わせることによって形成することができるものである。
【００２３】
図４（ａ），（ｂ）で示される第１の六面体構成部品４は、六面体２（２Ａ，２Ｂ）の連続する３つの側面を形成する第１の端部プレート４Ａ、中央プレート４Ｂ及び第２の端部プレート４Ｃが連設されて形成される六面体側面形成部４Ｄと、該六面体側面形成部４Ｄの長手方向両端部に形成される第１及び第２の接続部４Ｅ，４Ｆとによって構成され、前記第１の接続部４Ｅ、前記第１の端部プレート４Ａ、中央プレート４Ｂ、第２の端部プレート４Ｃ及び第２の接続部４Ｆは、折り曲げ可能な接続辺４Ｇ，４Ｈによって接続され、第１の端部プレート４Ａ、中央プレート４Ｂ及び第２の端部プレート４Ｃは、前記接続辺４Ｇ，４Ｈに垂直に位置する一対の開放辺４Ｊ，４Ｋ，４Ｌ，４Ｍ，４Ｎ，４Ｐを具備する。さらに、前記第１の端部プレート４Ａ及び前記第２の端部プレート４Ｃの開放辺４Ｊ，４Ｋ，４Ｎ，  ４Ｐのそれぞれには、中心位置から所定値変位した位置から外方に延出する噛合片４Ｑ，４Ｒ，４Ｓ，４Ｔが形成される。
【００２４】
そして、前記第１及び第２の接続部４Ｅ，４Ｆの外側面には、連結手段、例えば面ファスナー６の一方の側（この実施例では、フック側）を構成する第１の連結部６Ａが形成され、前記中央プレート４Ｂの内側面の前記開放辺４Ｌ，４Ｍ近傍には、前記第１の連結部６Ａに対応する面ファスナー６の他方の側（ループ側）を構成する第２の連結部６Ｂが形成されるものである。前記連結手段として、この実施例では面ファスナー６を使用したが、連結手段として、マグネットフック（マグフック若しくはマグネットボタン）を使用しても良く、またマグネットシート、ホック等を使用しても良いものである。連結手段としてマグネットフックを使用する場合には、第１の連結部６Ａは、一方の極性（例えばＮ極）を有する凸部であり、第２の連結部６Ｂは、他方の極性（例えばＳ極）を有する凹部である。尚、第１の連結部６Ａと第２の連結部６Ｂの特性は逆でも良いものである。
【００２５】
上述した連結手段の内、前記開口部３の周辺に配置される連結手段は、４５°間隔で配置された一対の第１の連結部６Ａと、４５°毎に配置された一対の第２の連結部６Ｂとが、９０°毎に交互に配置されて構成されるものである。これによって、開口部３が形成された面を対向させて連結する場合、いかなる場合においても必ず４箇所で第１の連結部６Ａと第２の連結部６Ｂとが連結されるため、連結を容易且つ確実に行うことが可能となるものである。
【００２６】
また、本実施例に係る第１の六面体構成部品４では、中央プレート４Ｂに、前記開口部３が形成され、この開口部３の周辺には前記第１の連結部６Ａと前記第２の連結部６Ｂが対応して配置されるものである。
【００２７】
さらに、前記第１の端部プレート４Ａ、前記中央プレート４Ｂ及び前記第２の端部プレート４Ｃのそれぞれの４つの角は、所定の範囲で切除されて切り欠き部７Ａが形成され、組み立てられた六面体２の８つの角には、所定の切り欠き開口部７が形成されるものである。さらにまた、開口部３が形成されていない第１の端部プレート４Ａ若しくは第２の端部プレート４Ｃのいずれか、この実施例では、第１の端部プレート４Ａの略中央には、前記開口部３よりも小さい窓部８が形成されるものである。
【００２８】
図５（ａ），（ｂ）で示される第２の六面体構成部品５は、六面体２（２Ａ，２Ｂ）の連続する３つの側面を形成する第１の端部プレート５Ａ、中央プレート５Ｂ及び第２の端部プレート５Ｃが連設されて形成される六面体側面形成部５Ｄと、該六面体側面形成部５Ｄの長手方向両端部に形成される第１及び第２の接続部５Ｅ，５Ｆとによって構成され、前記第１の接続部５Ｅ、前記第１の端部プレート５Ａ、中央プレート５Ｂ、第２の端部プレート５Ｃ及び第２の接続部５Ｆは、折り曲げ可能な接続辺５Ｇ，５Ｈによって接続され、第１の端部プレート５Ａ、中央プレート５Ｂ及び第２の端部プレート５Ｃは、前記接続辺５Ｇ，５Ｈに垂直に位置する一対の開放辺５Ｊ，５Ｋ，５Ｌ，５Ｍ，５Ｎ，５Ｐを具備する。さらに、前記第１の端部プレート５Ａ及び前記第２の端部プレート５Ｃの開放辺５Ｊ，５Ｋ，５Ｎ，  ５Ｐのそれぞれには、中心位置から所定値変位した位置から外方に延出する噛合片５Ｑ，５Ｒ，５Ｓ，５Ｔが形成される。
【００２９】
そして、前記第１及び第２の接続部５Ｅ，５Ｆの外側面には、連結手段、例えば面ファスナー６の一方の側（この実施例では、フック側）を構成する第１の連結部６Ａが形成され、前記中央プレート５Ｂの内側面の前記開放辺５Ｌ，５Ｍ近傍には、前記第１の連結部６Ａに対応する面ファスナー６の他方の側（ループ側）を構成する第２の連結部６Ｂが形成されるものである。前記連結手段として、この実施例では面ファスナー６を使用したが、連結手段として、マグネットフック（マグフック若しくはマグネットボタン）を使用しても良く、またマグネットシート、ホック等を使用しても良いものである。連結手段としてマグネットフックを使用する場合には、第１の連結部６Ａは、一方の極性（例えばＮ極）を有する凸部であり、第２の連結部６Ｂは、他方の極性（例えばＳ極）を有する凹部である。尚、第１の連結部６Ａと第２の連結部６Ｂの特性は逆でも良いものである。
【００３０】
また、本実施例に係る第２の六面体構成部品５では、第１の端部プレート５Ａに、前記開口部３が形成され、この開口部３の周辺には前記第１の連結部６Ａと前記第２の連結部６Ｂが対応して配置されるものである。
【００３１】
さらに、前記第１の端部プレート５Ａ、前記中央プレート５Ｂ及び前記第２の端部プレート５Ｃのそれぞれの４つの角は、所定の範囲で切除されて切り欠き部７Ａが形成され、組み立てられた六面体２の８つの角には、所定の切り欠き開口部７が形成されるものである。さらにまた、開口部３が形成されていない第１の端部プレート５Ａ若しくは第２の端部プレート５Ｃのいずれか、この実施例では、第２の端部プレート５Ｃの略中央には、前記開口部３よりも小さい窓部８が形成されるものである。
【００３２】
以上説明したような構造を有することにより、前記六面体２Ａは、一対の第１の六面体構成部品４を組み合わせることによって形成される。この六面体２Ａの組み立ては、図６で示すように、一方の第１の六面体構成部品４の第１及び第２の接続部４Ｅ，４Ｆの第１の連結部６Ａを、他方の第１の六面体構成部品４の中央プレート４Ｂの内側面の開放辺４Ｌ，４Ｍの近傍に配置された第２の連結部６Ｂに連結（固着）し、同時に他方の第１の六面体構成部品４の第１及び第２の接続部４Ｅ，４Ｆの第１の連結部６Ａを、一方の第１の六面体構成部品４の中央プレート４Ｂの内側面の開放辺４Ｌ，４Ｍの近傍に配置された第２の連結部６Ｂに連結（固着）すると共に、一方の第１の六面体構成部品４の噛合片４Ｑ、４Ｒ，４Ｓ，４Ｔの第１の連結部６Ａを、他方の第１の六面体構成部品４の対応する位置にある第２の連結部６Ｂに連結し、同様に他方の第１の六面体構成部品４の噛合片４Ｑ、４Ｒ，４Ｓ，４Ｔの第１の連結部６Ａを一方の第１の六面体構成部品４の対応する位置にある第２の連結部６Ｂに連結することによって行うことができるものである。
【００３３】
また、六面体２Ｂは、第１の六面体構成部品４と第２の六面体構成部品５と組み合わせることによって形成される。この六面体２Ａの組み立ては、図７で示すように、第１の六面体構成部品４の第１及び第２の接続部４Ｅ，４Ｆの第１の連結部６Ａを、第２の六面体構成部品５の中央プレート５Ｂの内側面の開放辺５Ｌ，５Ｍの近傍に配置された第２の連結部６Ｂに連結（固着）し、同時に第２の六面体構成部品５の第１及び第２の接続部５Ｅ，５Ｆの第１の連結部６Ａを、第１の六面体構成部品４の中央プレート４Ｂの内側面の開放辺４Ｌ，４Ｍの近傍に配置された第２の連結部６Ｂに連結（固着）すると共に、第１の六面体構成部品４の噛合片４Ｑ、４Ｒ，４Ｓ，４Ｔの第１の連結部６Ａを、第２の六面体構成部品５の対応する位置にある第２の連結部６Ｂに連結し、同様に第２の六面体構成部品５の噛合片５Ｑ、５Ｒ，５Ｓ，５Ｔの第１の連結部６Ａを、第１の六面体構成部品４の対応する位置にある第２の連結部６Ｂに連結することによって行うことができるものである。
【００３４】
このようにして組み立てられた六面体２Ａ及び六面体２Ｂは、図８（ａ），（ｂ）に示されるようにして連結されるものである。図８（ａ）は、六面体２Ａと六面体２Ｂとを連結する状態を示したものである。この連結においてお互いの開口部３の周囲に配置された第１の連結部６Ａと第２の連結部６Ｂとを対応させて連結するものである。尚、図８（ｂ）は、六面体２Ｂと六面体２Ｂを連結する状態を示したものである。このように、六面体２Ａ及び六面体２Ｂを任意に選択して順次組み合わせることによって、愛玩動物用遊戯具１を所望の形状に形成することができるものである。
【００３５】
この連結状態は、例えば図９（ａ）で示すように、一方の六面体２（六面体２０とする。）において、開口部３の周囲は、４５°毎に第１の連結部６Ａ１，６Ａ２、第２の連結部６Ｂ１，６Ｂ２、第１の連結部６Ａ３，６Ａ４、第２の連結部６Ｂ３，６Ｂ４が配置され、これに連結される他方の六面体２（六面体２１とする。）において、４５°毎に第１の連結部６Ａ５，６Ａ６、第２の連結部６Ｂ５，６Ｂ６、第１の連結部６Ａ７，６Ａ８、第２の連結部６Ｂ７，６Ｂ８が配置されるので、２つの六面体２０，２１を同じ向きに対向して連結する場合、六面体２０の第１の連結部６Ａ２と六面体２１の第２の連結部６Ｂ８、六面体２１の第１の連結部６Ａ６と六面体２０の第２の連結部６Ｂ４、六面体２０の第１の連結部６Ａ４と六面体２１の第２の連結部６Ｂ６、六面体２１の第１の連結部６Ａ８と六面体２０の第２の連結部６Ｂ２の４箇所で連結される。
【００３６】
また、他方の六面体２１を９０°回転させた場合（六面体２１Ａ）には、図９（ｂ）で示すように、六面体２０の第１の連結部６Ａ１と六面体２１Ａの第２の連結部６Ｂ７、六面体２１Ａの第１の連結部６Ａ７と六面体２０の第２の連結部６Ｂ１、六面体２０の第１の連結部６Ａ３と六面体２１Ａの第２の連結部６Ｂ５、六面体２１Ａの第１の連結部６Ａ’と六面体２０の第２の連結部６Ｂ３の４箇所で連結される。さらに９０°回転させた場合、図９（ａ）の配置と同一となり、さらに９０°回転させた場合には、図９（ｂ）の配置と同一となるものである。
【００３７】
以上のように、開口部３を対面させて六面体２を連結する場合、常に４箇所で連結できるため、連結強度を確保できるものである。
【符号の説明】
【００３８】
１  愛玩動物用遊戯具
２，２Ａ，２Ｂ  六面体
３  開口部
４  第１の六面体構成部品
４Ａ  第１の端部プレート
４Ｂ  中央プレート
４Ｃ  第２の端部プレート
４Ｄ  六面体側面形成部
４Ｅ  第１の接続部
４Ｆ  第２の接続部
４Ｇ，４Ｈ  接続辺
４Ｊ，４Ｋ，４Ｌ，４Ｍ，４Ｎ，４Ｐ  開放辺
４Ｑ，４Ｒ，４Ｓ，４Ｔ  噛合片
５  第２の六面体構成部品
５Ａ  第１の端部プレート
５Ｂ  中央プレート
５Ｃ  第２の端部プレート
５Ｄ  六面体側面形成部
５Ｅ  第１の接続部
５Ｆ  第２の接続部
５Ｇ，５Ｈ  接続辺
５Ｊ，５Ｋ，５Ｌ，５Ｍ，５Ｎ，５Ｐ  開放辺
５Ｑ，５Ｒ，５Ｓ，５Ｔ  噛合片
６  連結手段
６Ａ  第１の連結部
６Ｂ  第２の連結部
７  切り欠き開口部
７Ａ  切り欠き部
８  窓部
【図１】
2014226103.tif 000003
【図２】
2014226103.tif 000004
【図３】
2014226103.tif 000005
【図４】
2014226103.tif 000006
【図５】
2014226103.tif 000007
【図６】
2014226103.tif 000008
【図７】
2014226103.tif 000009
【図８】
2014226103.tif 000010
【図９】
2014226103.tif 000011